(57)【要約】  【課題】主筺体に対してスライド移動し得るスライド筺体の移動に連動して、文字表示を最適な状態にしたり撮像画角の変更を簡単に行うことができる携帯電子端末機を提供する。  【解決手段】主筺体１には、モードキー７、特定キー８、９、テンキー１０、送話部１１が配設されている。この主筺体１には、スライド筺体２がスライド機構を介して直線移動自在に設けられる。スライド筺体２の移動に伴って文字表示器６の視認範囲が変化される。位置検出部によってスライド移動位置が検出され、その検出結果に基づいて文字表示器６への表示文字サイズが変更される。【選択図】        図１
2007259461.tif 000002
【特許請求の範囲】
【請求項１】
焦点距離を可変し得る電子撮像レンズ部が設けられた主筺体と、少なくとも撮像画面を表示する表示部が設けられたスライド筺体を有し、前記主筺体と前記スライド筺体の相対位置をスライド移動し得る携帯電話機において、
前記主筺体と前記スライド筺体との相対位置を検出する位置検出部と、
前記位置検出部によって検出された前記相対位置のそれぞれに対応して前記電子撮像部の有する撮像画角を変更する撮像画角制御部とを具備することを特徴とする携帯電子端末機。
【請求項２】
前記位置検出部は、前記主筺体と前記スライド筺体との相対位置を段階的に検出するように構成し、
前記撮像画角制御部は、当該位置検出部による検出結果に基づいて前記撮像レンズ部の焦点距離を多焦点駆動し得るように構成することを特徴とする請求項１に記載の携帯電子端末機。
【請求項３】
前記位置検出部は、前記主筺体と前記スライド筺体との相対位置を連続的に検出するように構成し、
前記撮像画角制御部は、当該位置検出部による検出結果に基づいて前記撮像レンズ部の焦点距離をズーム駆動し得るように構成することを特徴とする請求項１に記載の携帯電子端末機。
【請求項４】
固定焦点で形成される電子撮像レンズ部が設けられた主筺体と、少なくとも撮像画面を表示する表示部が設けられたスライド筺体を有し、前記主筺体と前記スライド筺体の相対位置をスライド移動し得る携帯電話機において、
前記主筺体と前記スライド筺体との相対位置を検出する位置検出部と、
前記位置検出部によって検出された前記相対位置のそれぞれに対応して前記電子撮像部から出力される撮像データに電気的処理を施して撮像画角を実質的に変更し得る撮像画角制御部とを具備することを特徴とする携帯電子端末機。
【請求項５】
前記位置検出部は、前記主筺体と前記スライド筺体との相対位置を段階的に検出するように構成し、
前記撮像画角制御部は、当該位置検出部による検出結果に基づいて実質的な撮像画角を段階的に変更し得るように構成することを特徴とする請求項４に記載の携帯電子端末機。
【請求項６】
前記位置検出部は、前記主筺体と前記スライド筺体との相対位置を連続的に検出するように構成し、
前記撮像画角制御部は、当該位置検出部による検出結果に基づいて実質的な撮像画角を連続的に変更し得るように構成することを特徴とする請求項４に記載の携帯電子端末機。
【発明の詳細な説明】
【技術分野】
【０００１】
本発明は、主筺体に対してスライド移動し得るスライド筺体を有する携帯電子端末機に関する。
【背景技術】
【０００２】
近年の携帯電子端末機は、携帯電話機の場合を例にすれば、単に通話のみでなくインターネット等のブラウザ、電子メール送受信端末、スケジュール管理等の機能を付加した携帯情報端末としても活用されるようになってきた。このため、その表示内容は多量の文字情報を有し、これを表示するための表示器が大型化する傾向にあり、当該表示器は一般には携帯電話機の正面パネルに配設されるために、当該の正面パネルの面積の半分程度もしくはこれ以上の面積を占めるようになっている。一方、表示器への表示内容は通常通話時には少ない文字数で済み、メール送受信時やスケジュール管理等のときには多くの文字数が表示されることになる。
【０００３】
このような表示器には、非使用時や携帯時に表示面が損傷されて傷付くことを防止するためのカバーが設けられ、このカバーで表示器の視認範囲の全てを覆ったり、必要最小限の表示のみを露呈させて他部を覆った状態にしたり、必要とする視認範囲を露呈するようにしている。
【０００４】
このようにしてなされる視認範囲の面積の変更は、携帯電話機を主筺体とスライド筺体によって構成し、文字を表示する表示器やテンキー等の操作部を配設した主筺体に対してスライド筺体を移動する際に、表示器の視認範囲を露呈する位置と覆う位置との間を、移動し得るように構成し、スライド筺体を主筺体に対してスライド移動させることによって表示部の視認範囲を変更させることによって行うことができる。
【０００５】
また、音声通話を行なうという基本機能に付加して電子撮像機能を持たせ、機器本体に内蔵された撮像レンズによって画像データを取り込み、その画像データを相手方に送信し得るように構成した携帯電話機もある。
【発明の開示】
【発明が解決しようとする課題】
【０００６】
従来の携帯電子端末機は、表示器における視認範囲の面積が、スライド筺体のスライド移動に応じて変更されているために文字表示を最適な状態で視認することができず、視認性に難点があった。また、携帯電子端末機に設けられた電子撮像装置における撮像画角の変更を使い勝手を良好にした状態で行うことができないという問題がある。
【０００７】
そこで、本発明の目的は、主筺体に対してスライド移動し得るスライド筺体の移動に連動して、文字表示を最適な状態にしたり撮像画角の変更を簡単に行うことができる携帯電子端末機を提供することにある。
【課題を解決するための手段】
【０００８】
前記課題を解決するために、本発明による携帯電子端末機は、次に記載するような特徴的な構成を採用している。
【０００９】
（１）焦点距離を可変し得る電子撮像レンズ部が設けられた主筺体と、少なくとも撮像画面を表示する表示部が設けられたスライド筺体を有し、前記主筺体と前記スライド筺体の相対位置をスライド移動し得る携帯電話機において、
前記主筺体と前記スライド筺体との相対位置を検出する位置検出部と、
前記位置検出部によって検出された前記相対位置のそれぞれに対応して前記電子撮像部の有する撮像画角を変更する撮像画角制御部とを具備する携帯電子端末機。
（２）前記位置検出部は、前記主筺体と前記スライド筺体との相対位置を段階的に検出するように構成し、
前記撮像画角制御部は、当該位置検出部による検出結果に基づいて前記撮像レンズ部の焦点距離を多焦点駆動し得るように構成する上記（１）の携帯電子端末機。
（３）前記位置検出部は、前記主筺体と前記スライド筺体との相対位置を連続的に検出するように構成し、
前記撮像画角制御部は、当該位置検出部による検出結果に基づいて前記撮像レンズ部の焦点距離をズーム駆動し得るように構成する上記（１）の携帯電子端末機。
（４）固定焦点で形成される電子撮像レンズ部が設けられた主筺体と、少なくとも撮像画面を表示する表示部が設けられたスライド筺体を有し、前記主筺体と前記スライド筺体の相対位置をスライド移動し得る携帯電話機において、
前記主筺体と前記スライド筺体との相対位置を検出する位置検出部と、
前記位置検出部によって検出された前記相対位置のそれぞれに対応して前記電子撮像部から出力される撮像データに電気的処理を施して撮像画角を実質的に変更し得る撮像画角制御部とを具備する携帯電子端末機。
（５）前記位置検出部は、前記主筺体と前記スライド筺体との相対位置を段階的に検出するように構成し、
前記撮像画角制御部は、当該位置検出部による検出結果に基づいて実質的な撮像画角を段階的に変更し得るように構成する上記（４）の携帯電子端末機。
（６）前記位置検出部は、前記主筺体と前記スライド筺体との相対位置を連続的に検出するように構成し、
前記撮像画角制御部は、当該位置検出部による検出結果に基づいて実質的な撮像画角を連続的に変更し得るように構成する上記（４）の携帯電子端末機。
【発明の効果】
【００１０】
以上の説明で明らかなように、本発明による携帯電子端末機は、主筺体に対してスライド移動するスライド筺体の変位に連動して、表示文字サイズを視認しやすい文字サイズに変更したり、撮像画角の変更を簡単に行うことができるので使い勝手を向上させることができる。
【００１１】
従って、本発明によれば、主筺体に対してスライド移動し得るスライド筺体の移動に連動して、文字表示を最適な状態にしたり撮像画角の変更を簡単に行うことができる携帯電子端末機を提供することができる。
【発明を実施するための最良の形態】
【００１２】
以下、本発明による携帯電子端末機の実施の形態を図面を参照しながら詳細に説明する。先ず、本発明を携帯電話機に適用した例について図１乃至図４を用いて説明する。本実施形態の携帯電話機は、その全体形状が第１乃至第４の使用状態の合計４つの状態に変化し、その使用状態のそれぞれが図１乃至図４に示されている。
【００１３】
第１の使用状態の携帯電話機を示す図１において、携帯電話機は、長手状の主筺体１とスライド筺体２がスライド機構を介して連結され、主筺体１の長手軸上をスライド筺体２を移動させ得るように、本体に設けられた案内溝４と案内溝５（図２乃至図４参照）に対してスライド筺体２が移動し得るように構成されている。そして、スライド筺体２の上部表面には内部に実装された薄型スピーカの開口部が露呈して形成される受話部３が設けられている。
【００１４】
一方、主筺体１には、その表面の略上半分の部分に多数の文字を表示したり撮像画面を表示するための文字表示器６が設けられ、この文字表示器６の下位に、多種多様な携帯電話機能の中から特定の動作モードを選択したり入力指定等を指令するためのモードキー７が配設され、その左右方向のそれぞれに特定キー８、９が配設され、この特定キー８、９を用いてある特定のアプリケーションを直接に実行させたり、ある特定モードを直接に実行させることができる。
【００１５】
また、モードキー７の下位には数字や「英字、ひらがな、カタカナ、漢字」等の文字入力を行うためのテンキー１０が「＃」と「＊」の文字キーを含んで配設されている。このテンキー１０の下位には内部に実装されたマイクロホンの送話開口で形成される送話部１１が配設されている。
【００１６】
このように構成された主筺体１に対してスライド自在に設けられたスライド筺体２は、主筺体１に対して最も縮められ、文字表示器６の文字表示領域の下位のわずかの領域のみが露呈し、他の領域が全てスライド筺体２で覆われた状態にある図１に示す第１の状態となる。
【００１７】
この第１の状態からスライド筺体２を一段だけ上方にスライド移動させると、図２に示すように文字表示器６の露呈領域が増加した第２の状態に変化し、この第２の状態からさらにスライド筺体２を一段だけ上方にスライド移動させると、図３に示すように文字表示器６の露呈領域がさらに増加した第３の状態に変化し、この第３の状態からさらにスライド筺体２を最終段まで上方にスライド移動させると、図４に示すように文字表示器６の露呈領域が最大（全露呈）とされる第４の状態に変化する。
【００１８】
また、このようにしてなされる主筺体１とスライド筺体２におけるスライド移動距離は、図示しないマグネットをスライド筺体２に固定し、主筺体１側の対向位置に磁気センサを設けることによって主筺体１とスライド筺体２との相対位置が段階的に位置検出部によって検出される。
【００１９】
従って、本実施形態の携帯電話機の構成は、少なくとも文字を表示する表示器６が配設された主筺体１と、この表示器６の視認範囲を露呈する位置と、該視認範囲を覆う位置との間を、主筺体１に対してスライド移動し得るスライド筺体２とを有する。更に、主筺体１とスライド筺体２の相対位置を検出する位置検出部と、この位置検出部によって検出された相対位置のそれぞれに対応して表示器６に表示される文字サイズを変更する表示文字制御部とを備える。
【００２０】
従って、通常の通話を行う場合には、図１に示すように、スライド筺体２が主筺体１に対して最も縮められた状態で用いられ、図１に示す携帯電話機を使用する際には、文字表示器６の視認範囲が最小にされた状態で文字表示がなされ、この状態でモードキー７乃至テンキー１０を操作することによって所望の通話を行うことができる。
【００２１】
例えば、モードキー７と特定キー８、９を用いた操作に追加してテンキー１０を操作することができ、例えば特定の電話番号を電話番号短縮メモリを用いることなく番号通りにダイヤリングすることができ、また、通話中にテンキーを用いたアクセスを行うことができる。
【００２２】
一方、主筺体１からスライド筺体２が１段だけ引き出された第２の状態では、図２に示すように文字表示器６による視認範囲が増加し、これと同時にその文字表示サイズが大きくなり、見やすい表示状態にされる。
【００２３】
さらに、主筺体１からスライド筺体２を段階的に１段引き出した第３の状態を示す図３と、２段引き出した第４の状態を示す図４のように、スライド筺体２の引き出し動作に応じて文字表示器６の視認範囲が段階的に大きくなり、これに対応してその文字表示サイズが大きくされるので、非常に見やすい表示状態にされる。
【００２４】
従って、表示文字制御部によって、文字表示器６の視認範囲への文字表示可能数が略一定で、かつ視認範囲が大きいときに文字サイズが大きくなる方向に制御される。また、文字サイズの拡大に伴い、表示される文字量が少なくなるので、残りの文字が隠れて表示されなくなる。残りの文字を表示させるにはスクロールにより画面を移動させれば良い。
【００２５】
なお、本実施形態は主筺体１とスライド筺体２の相対位置を段階的（４段）に亘って検出し、それぞれの位置に対応して文字表示器６における文字サイズを４段階で大きくしているが、当該の位置検出部を、主筺体１とスライド筺体２との相対位置を連続的に検出するように構成すれば文字サイズを連続して大きくすることができる。
【００２６】
次に、本発明の他の実施形態として携帯電子端末機を携帯電話機に採用した例について図５乃至図８を用いて説明する。本実施形態の携帯電話機は、その正面パネルが図５に示すように構成され、その全体形状が第３つの状態に変化、即ち、広角画角／標準画角／望遠画角に変化するようにして構成され、その広角画角／標準画角／望遠画角にされたときのそれぞれの外観が図６乃至図８に示されている。
【００２７】
本実施形態の携帯電話機は、長手状の主筺体１２とスライド筺体１３がスライド機構を介して連結されて構成され、主筺体１２の長手軸上をスライド筺体１３を移動させ得るように構成されている。そして、スライド筺体１３の表面上部には内部に実装された薄型スピーカの開口部が露呈して形成される受話部１４設けられ、その下位には、多数の文字を表示したり撮像画面を表示するための表示器１５が設けられ、この表示器１５には文字を表示することができるとともに、後述の撮像レンズ２１を用いて得られる電子撮像データに基づく画像を表示することもできる。
【００２８】
さて、スライド筺体１３に設けられた表示器１５の下位に位置する主筺体１２部位には、多種多様な携帯電話機能の中から特定の動作モードを選択したり入力指定等を指令するためのモードキー１６が配設されその左右方向のそれぞれに特定キー１７、１８が配設され、この特定キー１７、１８を用いてある特定のアプリケーションを直接に実行させたり、ある特定モードを直接に実行させることができる。
【００２９】
また、モードキー１６の下位には数字や「英字、ひらがな、カタカナ、漢字」等の文字入力を行うためのテンキー１９が「＃」と「＊」の文字キーを含んで配設されている。このテンキー１９の下位には内部に実装されたマイクロホンの送話開口で形成される送話部２０が配設されている。
【００３０】
このように構成された携帯電話機には、電子撮像装置が内蔵されその背面の略中央に撮像レンズ２１が図６に示すように突出して設けられている。この撮像レンズ２１は、その焦点距離が段階的に３段（広角／標準／望遠）に変化させることができる多焦点レンズ光学系で構成されている。
【００３１】
このように構成された主筺体１２に対してスライド自在に設けられたスライド筺体１３が、主筺体１２に対して最も縮められ位置状態にされると、主筺体１２と前スライド筺体１３との相対位置が位置検出部で検出されるので、その出力により、撮像画角制御部が作動されて撮像レンズ２１が広角側にされる（図５と図６）。
【００３２】
この広角状態からスライド筺体１３を１段だけスライド移動させると図７に示すように、撮像レンズ２１が突出駆動され撮像画角が標準とされ、さらにスライド筺体１３を１段だけスライド移動させると図８に示すように、撮像レンズ２１がさらに突出駆動され撮像画角が望遠とされる。
【００３３】
従って、主筺体１２に対してスライド筺体１３をスライド移動すると、最も縮めた状態において広角画角とされ、次段の移動で標準画角とされ次々段の移動で望遠画角とされる。
【００３４】
主筺体１２とスライド筺体１３におけるスライド移動距離は、図示しないマグネットをスライド筺体１３に固定し、主筺体１２側の対向位置に磁気センサを設けることによって主筺体１２とスライド筺体１３との相対位置が段階的に位置検出部によって検出される。
【００３５】
従って、本実施形態の携帯電話機は、焦点距離を可変し得る撮像レンズ２１が設けられた主筺体１２と、少なくとも撮像画面を表示する表示器１５が設けられたスライド筺体スライド筺体１３を有し、主筺体１２とスライド筺体の相対位置をスライド移動し得る。主筺体１２とスライド筺体１３との相対位置を位置検出部で検出し、この位置検出部によって検出された相対位置のそれぞれに対応して撮像レンズ２１の有する撮像画角を撮像画角制御部によって変更するように構成される。
【００３６】
なお、本実施形態において、主筺体１２とスライド筺体１３の相対位置を検出する位置検出部は、その相対位置を段階的に検出するように構成しているが、当該の位置検出部を直線上に形成された摺動抵抗で構成し、両者の位置変化を連続的に検出するように構成し、撮像レンズ２１をズーム駆動可能な光学系で構成すれば、当該の位置検出部による検出結果に基づいて撮像レンズの焦点距離を連続的にズーム駆動させることができる。
【００３７】
また、撮像レンズ２１による撮像画角の変更を撮像画角制御部によって光学的に行っているが、当該の撮像画角制御部の構成を、電子撮像部から出力される撮像データに電気的処理を施して撮像画角を実質的に変更し得るようにすれば、広角／標準／望遠等の複数段階に変更したり、広角から望遠に亘って連続的に変更することができる。
【００３８】
上述実施形態の文字サイズの変更機能と撮像画角（ズーム）の変更機能は、それぞれ独立して用いても良いし、両機能を併用しても良い。
【００３９】
図９には、上述実施形態における文字サイズの変更機能と撮像画角（ズーム）の変更機能を併用した場合の電気回路系の制御部の構成が示されている。位置検出部３１が主筺体とスライド筺体の相対位置を検出する。検出された位置情報（スライド距離）は、制御部３２に送出される。制御部３２は、文字サイズを調整するためのキャラクタジェネレータを文字サイズ制御部３３を制御するとともに、ズーム率を調整するための撮像画角制御部３４を制御する。この文字サイズ制御部３３と撮像画角制御部３４の制御は、いずれか一方を制御してもよいし、両制御部を同時に制御してもよい。
【図面の簡単な説明】
【００４０】
【図１】本発明による携帯電子端末機の第１の実施の形態による携帯電子端末機の第１の状態を示す正面図である。
【図２】図１に示される携帯電子端末機のスライド筺体を第２の状態に移動させた例を示す正面図である。
【図３】図１に示される携帯電子端末機のスライド筺体を第３の状態に移動させた例を示す正面図である。
【図４】図１に示される携帯電子端末機のスライド筺体を第４の状態に移動させた例を示す正面図である。
【図５】本発明による携帯電子端末機の第２の実施の形態による携帯電子端末機の正面パネルを示す正面図である。
【図６】図５に示される携帯電子端末機の撮像画角を広角にしたときの外観を示す斜視図である。
【図７】図５に示される携帯電子端末機の撮像画角を標準にしたときの外観を示す斜視図である。
【図８】図５に示される携帯電子端末機の撮像画角を望遠にしたときの外観を示す斜視図である。
【図９】本発明の実施形態における文字サイズの変更機能と撮像画角（ズーム）の変更機能を併用した場合の電気回路系の制御部の構成ブロック図である。
【符号の説明】
【００４１】
１、１２  主筺体
２、１３  スライド筺体
３、１４  受話部
４、５    案内溝４
６        文字表示器６
７、１６  モードキー
８、９１７、１８  特定キー
１０、１９  テンキー
１１、２０  送話部
１５      表示器
２１      撮像レンズ
３１      位置検出部
３２      制御部
３３      文字サイズ制御部
３４      撮像画角制御部
【図１】
2007259461.tif 000003
【図２】
2007259461.tif 000004
【図３】
2007259461.tif 000005
【図４】
2007259461.tif 000006
【図５】
2007259461.tif 000007
【図６】
2007259461.tif 000008
【図７】
2007259461.tif 000009
【図８】
2007259461.tif 000010
【図９】
2007259461.tif 000011